(57)【要約】【課題】  構造の簡素化を図り、小型化、特に高さ寸法の縮小化を図る。【解決手段】  本発明は、遊技盤１の遊技領域３に弾球された遊技球が入賞可能な入賞領域が設けられた弾球遊技機の可変入賞装置１０であって、前記入賞領域に向かって横方向に傾斜するステージ部３６と、ステージ部３６の前方を開放する開口部１４と、下端部を支点に前後方向に回動することにより開口部１４を開閉し、開放状態ではステージ部３６に向かって傾斜する開閉扉１５とを備えており、開口部１４の開放時には、ステージ部３６が開閉扉１５の傾斜下端部６１より上方に突出し、ステージ部３６と開閉扉１５との間に前記入賞領域に向かって次第に低くなるように段差部６２が形成され、開閉扉１５上に落下した遊技球が段差部６２に沿って開閉扉１５上を転動し、前記入賞領域に入賞可能なように構成されていることを特徴とする。【選択図】  図２
2006136364.tif 000002
【特許請求の範囲】
【請求項１】
遊技盤の遊技領域に弾球された遊技球が入賞可能な入賞領域が設けられた弾球遊技機の可変入賞装置であって、
前記入賞領域に向かって横方向に傾斜するステージ部と、
該ステージ部の前方を開放する開口部と、
下端部を支点に前後方向に回動することにより前記開口部を開閉し、開放状態では前記ステージ部に向かって傾斜する開閉扉と、
を備えており、前記開口部の開放時には、前記ステージ部が前記開閉扉の傾斜下端部より上方に突出し、該ステージ部と前記開閉扉との間に前記入賞領域に向かって次第に低くなるように段差部が形成され、前記開閉扉上に落下した遊技球が前記段差部に沿って前記開閉扉上を転動し、前記入賞領域に入賞可能なように構成されていることを特徴とする弾球遊技機の可変入賞装置。
【請求項２】
前記ステージ部は大入賞口に設けられており、前記入賞領域は前記ステージ部の正面視右側端部に設けられている請求項１に記載の弾球遊技機の可変入賞装置。
【請求項３】
前記開閉扉は、前記開口部の開放時に前記開閉扉上に落下した遊技球を前記入賞領域に誘導可能なように構成されている請求項１又は２に記載の弾球遊技機の可変入賞装置。
【発明の詳細な説明】
【技術分野】
【０００１】
本発明は、パチンコ遊技機等の弾球遊技機の可変入賞装置に関し、特に、遊技球が入賞可能な入賞領域が設けられた弾球遊技機の可変入賞装置に関する。
【背景技術】
【０００２】
従来、パチンコ遊技機に代表される弾球遊技機においては、遊技領域の略中央部に設けられた画像表示装置の下方の始動入賞口に遊技球が入賞することを契機として、前記画像表示装置において所要の図柄変動表示が行われ、その図柄の停止態様に応じて、始動入賞口の下方に配設された大入賞口を開放させる可変入賞装置が知られている。
【０００３】
このような可変入賞装置には、ソレノイドやモータ等の駆動源により開閉可能な開閉扉と、該開閉扉を介して誘導された遊技球が左右に転動可能なように形成されたステージ部と、該ステージ部の左右にそれぞれ設けられた入賞領域と、ソレノイド等の駆動源によりシーソーのように左右交互に傾動させ、前記ステージ部に誘導された遊技球を左右の入賞領域に振り分ける左右振り分け機構とが設けられている。そして、左右振り分け機構によって左右に振り分けられた遊技球は前記ステージ部の左右の入賞領域である特定領域（Ｖゾーン）と一般領域とにそれぞれ振り分けられるようになっている（例えば、特許文献１参照）。
【特許文献１】特開２００２−１５３６３７号公報
【発明の開示】
【発明が解決しようとする課題】
【０００４】
ところが、近年における画像表示装置の大型化の要請に伴い、その画像表示装置の下方のスペースが縮小されてきており、そのスペースに配置される可変入賞装置の小型化、特にその高さ方向の寸法の縮小化が不可欠となってきている。
【０００５】
しかしながら、上記した従来の弾球遊技機の可変入賞装置では、ステージ部の左右にそれぞれ入賞領域が設けられており、ステージ部に誘導された遊技球をそれら左右の入賞領域に振り分ける左右振り分け機構が必要となるため、可変入賞装置の構造が複雑となり、高さ方向の寸法を縮小させるのが極めて難しいといった問題があった。
【０００６】
本発明は、上記した課題を解決すべくなされたものであり、構造の簡素化を図り、小型化、特に高さ寸法の縮小化を図ることのできる弾球遊技機の可変入賞装置を提供しようとするものである。
【課題を解決するための手段】
【０００７】
本発明は、遊技盤１の遊技領域３に弾球された遊技球が入賞可能な入賞領域が設けられた弾球遊技機の可変入賞装置１０であって、前記入賞領域に向かって横方向に傾斜するステージ部３６と、ステージ部３６の前方を開放する開口部１４と、下端部を支点に前後方向に回動することにより開口部１４を開閉し、開放状態ではステージ部３６に向かって傾斜する開閉扉１５とを備えており、開口部１４の開放時には、ステージ部３６が開閉扉１５の傾斜下端部６１より上方に突出し、ステージ部３６と開閉扉１５との間に前記入賞領域に向かって次第に低くなるように段差部６２が形成され、開閉扉１５上に落下した遊技球が段差部６２に沿って開閉扉１５上を転動し、前記入賞領域に入賞可能なように構成されていることを特徴とする。
【０００８】
そして、好ましくは、前記ステージ部３６は大入賞口９に設けられており、前記入賞領域はステージ部３６の正面視右側端部に設けられているのがよい。
【０００９】
また、前記開閉扉１５は、開口部１４の開放時に開閉扉１５上に落下した遊技球を前記入賞領域に誘導可能なように構成されていてもよい。
【発明の効果】
【００１０】
本発明によれば、開口部の開放時にステージ部が開閉扉の傾斜下端部より上方に突出するように構成されているため、高さ方向の寸法を縮小することができ、狭いスペースにも容易に設置することができる。
【００１１】
また、ステージ部と開閉扉との間に前記入賞領域に向かって次第に低くなるように段差部が形成され、開閉扉１５上に落下した遊技球が段差部６２に沿って開閉扉１５上を転動し、前記入賞領域に入賞可能なように構成されているため、例え、遊技球が落下する開閉扉に特別な細工を施さなくても、開閉扉上に落下した遊技球を前記入賞領域に確実に誘導することができ、構造の簡素化を図ることができる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に適用した場合について説明する。
【００１３】
先ず、図１により、パチンコ遊技機の概略構成について説明する。ここで、図１はパチンコ遊技機の遊技盤１を示す正面図である。
【００１４】
このパチンコ遊技機には、方形枠サイズに形成された開閉搭載用の前枠（図示せず）の上部領域に遊技盤１が収容されており、遊技盤１は、所定板厚の積層合板の表面にセルを貼り付けてルーター加工した化粧版を基板とし、その前面側には、環状に取り付けられたガイドレール２に囲まれて、略円形状の遊技領域３が形成されている。遊技領域３には、その略中央部に画像表示装置４が配置されており、画像表示装置４にはカラー液晶パネルの画像表示部５が設けられている。そして、画像表示装置４の画像表示部５の周りには、センター飾り部品６が配置されており、センター飾り部品６の下方に始動入賞口７やゲート８が配設され、さらに、始動入賞口７の下方に大入賞口９を有する可変入賞装置１０が配設されている。また、遊技領域３の下端部には、アウト口１１が配設されており、始動入賞口７や大入賞口９等に入賞せずに落下したアウト球を遊技盤１の背面側から機外に排出できるようになっている。
【００１５】
次に、図２〜図４を参照しつつ、本発明の実施の形態に係る可変入賞装置１０について説明する。ここで、図２は可変入賞装置１０を示す正面図、図３は図２のＡ−Ａ矢視図、図４は可変入賞装置１０を示す分解背面図である。
【００１６】
この可変入賞装置１０は、ベース部材１２の周縁部に設けられた所要数（図示では４個）の取付孔１３を介して遊技盤１にネジ止めされるようになっており、ベース部材１２の略中央部に形成された矩形状の開口部１４を開閉可能な開閉扉１５と、ベース部材１２の後方に設けられる筐体２７と、開閉扉１５を開閉動作させるための開閉扉駆動機構１６とを主体に構成されている。
【００１７】
ベース部材１２は、遊技盤１の前面に沿うように略平板状に形成されており、ベース部材１２の後面には、ネジ止め用のボス部１７が左右それぞれ２箇所ずつ突設されている。また、ベース部材１２の後面で開口部１４の両側下部には、それぞれ上下一対の回動軸受け部１８，１９が突設されており、各回動軸受け部１８，１９の設置箇所にはそれぞれ軸受け凹部２０，２１が形成されている。
【００１８】
開閉扉１５は、ベース部材１２の開口部１４に整合するような矩形状を成しており、開閉扉１５の前面には、両側下部にそれぞれ前面当接部２２が突設され、前面当接部２２が開口部１４下方のベース部材１２の前面側縁部に当接することにより、開放時に開閉扉１５が後方傾斜姿勢に保持されるようになっている（図３参照）。
【００１９】
さらに、開閉扉１５の両側下部には、回動軸部２３，２４がそれぞれ左右（以降、左右方向はすべて後方から見た方向を言うものとする。）外方に突出して形成され、右側の回動軸部２４の先端には後方が開放されたＵ字形状を成す駆動伝達部材係合部２５が形成されている。そして、回動軸部２３が回動軸受け部１８及び軸受け凹部２０に係合すると共に回動軸部２４が回動軸受け部１９及び軸受け凹部２１に係合することにより、開閉扉１５が回動軸部２３，２４を支点に前後方向に回動可能に支持されるようになっている。さらにまた、開閉扉１５の両側下部には、それぞれ後面当接部２６が下方に突設され、後面当接部２６が開口部１４下方のベース部材１２の後面側縁部に当接することにより、開閉扉１５の閉塞姿勢が保持されるようになっている。
【００２０】
筐体２７は、前側部材２８と後側部材２９とに分割されており、後側部材２９の後面側にはさらに蓋部材３０が設けられている。そして、筐体２７の前側部材２８には、両端部に固定用鍔部３１が形成されており、固定用鍔部３１にはそれぞれ３箇所ずつ取付孔３２ａ，３２ｂ，３２ｃが穿設されている。この取付孔３２ａ，３２ｂ，３２ｃのうち、それぞれ上下の取付孔３２ａ及び３２ｃはベース部材１２のボス部１７に対応した位置に形成されており、取付孔３２ａ，３２ｃに後方からネジを螺入することにより、前側部材２８がベース部材１２にネジ止め固定されるようになっている。
【００２１】
前側部材２８の内部は、中央部分３３とその左右側方部分３４，３５との３部分から構成されており、中央部分３３には、左横方向に向かって約５°の角度で傾斜するステージ部３６が形成されており、ステージ部３６の最下部には、入賞領域誘導部３７が後方に向かって傾斜して形成されている。そして、開閉扉１５により開口部１４が開放された時には、開閉扉１５の傾斜下端部６１よりステージ部３６が上方に突出し、ステージ部３６と開閉扉１５との間に前記入賞領域に向かって次第に低くなるように正面視で横長三角形状の段差部６２が形成されるようになっている（図２参照）。これにより、例え、遊技球が落下する開閉扉１５自体に特別な細工を施さなくても、開閉扉１５上に落下した遊技球は段差部６２に沿って右側端部の入賞領域誘導部３７に向かって開閉扉１５上を転動するようになり、前記入賞領域に確実に誘導される。
【００２２】
また、前側部材２８の右側の側方部分３５には、開閉扉駆動機構１６が収容可能となっており、その側方部分３５の上部には駆動源収容部３８が形成され、下部には駆動伝達部材収容部３９が形成されている。この駆動伝達部材収容部３９には、中央に方形状の開口部４０が形成されており、開口部４０に回動軸部２４の駆動伝達部材係合部２５が位置するようになっている。また、右側の側方部分３５の前端部には、回動軸部脱落防止部（図示せず）が回動軸受け部１９に対応した位置に設けられており、回動軸部２４が回動軸受け部１９から後方に脱落しないようになっている。さらに、駆動伝達部材収容部３９の開口部４０の両側には、後方が開放されたＵ字形状の駆動伝達部材回動軸受け部４１がそれぞれ左右一対で形成されている。
【００２３】
また、前側部材２８の左側の側方部分３４には、回動軸部脱落防止部（図示せず）が回動軸受け部１８に対向した位置に設けられ、回動軸部２３が回動軸受け部１８から後方に脱落しないようになっている。このように、開閉扉１５の左右の回動軸部２３，２４は、それぞれ、回動軸受け部１８，１９と前記各回動軸部脱落防止部により、回動可能に支持されるようになっている。
【００２４】
開閉扉駆動機構１６は、駆動源であるソレノイド４２と、ソレノイド４２の駆動力を開閉扉１５に伝達する駆動伝達部材４３とを主体に構成されている。ソレノイド４２は、本実施の形態ではラッチングソレノイドを使用しており、いずれも図示しないが、永久磁石及びコイルを内蔵するソレノイド本体と、このソレノイド本体に進退可能に設けられたプランジャと、このプランジャの先端部に一体成形された係合鍔部と、このプランジャに周設されたコイルバネとを備え、プランジャはこのコイルバネにより前進方向に付勢されている。そして、ソレノイド４２は、前記係合鍔部を前方に向けた姿勢で、ソレノイド支持部材４４を介在させて、前側部材２８の右側の固定用鍔部３１の中央の取付孔３２ｂにネジ止め固定されるようになっている。なお、駆動源としては、上記したラッチングソレノイドに限定されるものではなく、他のタイプのソレノイド、或いは、ステッピングモータ、リニアモータ等のモータを使用することも可能である。
【００２５】
駆動伝達部材４３は、ソレノイド４２の係合鍔部に係合する入力側部材４５と、開閉扉１５の駆動伝達部材係合部２５に係合する出力側部材４６と、入力側部材４５と出力側部材４６を相互に連結するねじりバネ４７とから構成され、ねじりバネ４７の両端部にはそれぞれ鉤状に屈曲された掛止部４８，４９が形成されている。入力側部材４５は、挿通孔（図示せず）が形成された出力側部材係合部５０と、出力側部材係合部５０の外周部から水平方向に延出する一対の駆動源係合部５１ａ，５１ｂと、駆動源係合部５１ａ，５１ｂの基端側に段状に形成されたバネ掛止受け部５２とから構成され、一方の駆動源係合部５１ａの先端部には当接突起部５３が形成されている。
【００２６】
一方、出力側部材４６は、出力側部材係合部５０の挿通孔に挿通可能且つ両端部が駆動伝達部材回動軸受け部４１に係合可能な係合軸部５４と、係合軸部５４の周方向に沿って所定間隔を置いて軸方向に複数形成されたバネ収容突起部５５と、係合軸部５４の径方向に延出する駆動伝達腕部（図示せず）と、係合軸部５４と平行を成すように前記駆動伝達腕部から延出する係合ピン（図示せず）と、前記駆動伝達腕部の基端側に段状に形成されたバネ掛止受け部（図示せず）とから構成され、係合軸部５４は出力側部材係合部５０の挿通孔より若干小径に形成されている。また、前記駆動伝達腕部の外周部には入力側部材４５の当接突起部５３が当接可能な当接突起受け部（図示せず）が形成されている。
【００２７】
すなわち、ねじりバネ４７をバネ収容突起部５５に周設させた状態で係合軸部５４を出力側部材係合部５０の挿通孔に挿通させ、ねじりバネ４７の一方の掛止部４８を入力側部材４５のバネ掛止受け部５２に掛止させると共に、他方の掛止部４９を出力側部材４６の前記バネ掛止受け部に掛止させると、入力側部材４５の当接突起部５３が出力側部材４６の前記当接突起受け部（図示せず）に当接し、ねじりバネ４７の付勢方向への回転が規制され、入力側部材４５と出力側部材４６がプリロード状態で連結されるようになっている。
【００２８】
筐体２７のうち、後側部材２９の前面側には、ステージ部３６の入賞領域誘導部３７に対応する位置に入賞領域入口部５６（図２参照）が方形状に開口されている。また、後側部材２９の前面側右端部には、軸受け当接部５７が２箇所前方に突出して形成されている。軸受け当接部５７は駆動伝達部材回動軸受け部４１に対応する位置に設けられ、この軸受け当接部５７により駆動伝達部材回動軸受け部４１の後方開放部分が閉塞され、これにより、駆動伝達部材４３の後方への脱落が防止され、駆動伝達部材４３は駆動伝達部材回動軸受け部４１に回動自在に支持されるようになっている。
【００２９】
さらに、後側部材２９の両側下部には、検出スイッチ収容部５８，５９がそれぞれ形成されており、このうち、左側の検出スイッチ収容部５８には入賞領域通過検出スイッチ（図示せず）が着脱可能となっており、右側の検出スイッチ収容部５９はダミーで設けられている。なお、この入賞領域通過検出スイッチとしては、遊技球の通過により変化する磁束密度を検出するコイルを備えた電磁式検出スイッチ、遊技球の通過により変化する電界を検出する電界検出スイッチ、或いは、通過する遊技球により操作部を駆動させることにより電気接点を開閉させるメカスイッチ等が使用可能である。
【００３０】
また、蓋部材３０の前面側には、入賞領域入口部５６に対応する位置に球誘導突起部６０（図２参照）が突設されており、球誘導突起部６０は遊技球を入賞領域（図示せず）に誘導可能なように下側後方に傾斜して形成されている。
【００３１】
次に、図１〜図４を参照しつつ、本実施の形態に係るパチンコ遊技機の可変入賞装置１０の動作について説明する。
【００３２】
遊技領域３に弾球された遊技球が始動入賞口７に入賞すると、画像表示装置４において図柄の変動表示が開始され、所定時間経過後、停止図柄の組み合わせが、特定図柄、例えば、数字の７が３個揃う図柄となると判断された場合、通常遊技から特別遊技（大当り遊技）に移行する。
【００３３】
このようにして特別遊技に突入すると、ソレノイド４２が駆動され、そのプランジャが前記コイルバネの弾性力に抗して後退し、駆動伝達部材４３が係合軸部５４を支点に回転する。そして、駆動伝達部材４３の回転に伴い、開閉扉１５が回動軸部２３，２４を支点に前方に回転し、大入賞口９が開放される。この時、前面当接部２２が開口部１４の下方のベース部材１２の前面側縁部に当接し、開閉扉１５の後面が後方のステージ部３６に向かって所定角度傾斜した姿勢に保持されるため、開閉扉１５上に落下した遊技球は、ステージ部３６に向かって転動し、段差部６２に衝突する。この場合、段差部６２は、上記したように、前記入賞領域に向かって次第に低くなるように正面視で横長三角形状に形成されているため、段差部６２に衝突した遊技球のうち、この段差部６２を乗り越えなかった遊技球は、開閉扉１５の後面上を段差部６２に沿って転動し、入賞領域誘導部３７から前記入賞領域に入賞する。一方、この段差部６２を乗り越えた遊技球は、ステージ部３６上を転動し、入賞領域誘導部３７から入賞領域に入賞する。そして、前記入賞領域への遊技球の入賞は前記入賞領域通過検出スイッチにより検出される。
【００３４】
このように、前記入賞領域通過検出スイッチにより前記入賞領域への遊技球の入賞が検出されると、所定数の賞球が遊技者に払い出され、その後、所定の条件が達成されると、特別遊技は終了する。そして、特別遊技が終了すると、ソレノイド４２は駆動を停止し、前記プランジャは前記コイルバネの弾性力により前進し、駆動伝達部材４３は、開閉扉１５の開放時とは反対の方向に回転する。そして、駆動伝達部材４３の回転に伴い、開閉扉１５は回動軸部２３，２４を支点に後方に回転し、開口部１４が閉鎖される。この時、開閉扉１５の後面当接部２６が開口部１４下方のベース部材１２の後面側縁部に当接するため、開閉扉１５の閉鎖姿勢は確実に保持される。
【００３５】
なお、上記した実施の形態のように、開口部１４の開放時に開閉扉１５を後方傾斜姿勢に保持するだけでなく、開閉扉１５をさらに前記入賞領域に向かって傾斜させたり、或いは、開閉扉１５の後面に溝や球誘導突起部を形成したりして、開口部１４の開放時に開閉扉１５上に落下した遊技球がより確実に前記入賞領域に誘導されるように構成してもよい。
【００３６】
また、上記した実施の形態においては、前記入賞領域をステージ部３６の正面視右側端部に設けているが、これは単なる例示に過ぎず、例えば、ステージ部３６の正面視左側端部や中央部等、他の位置に設けることもできる。そして、前記入賞領域が正面視左側端部に設けられた場合にはステージ部３６は正面視左側に向かって次第に低くなるように傾斜して形成され、また、前記入賞領域が中央部に設けられた場合にはステージ部３６は左右両側端部が高く、中央に向かって次第に低くなるように傾斜して形成される。
【００３７】
さらにまた、本発明は、上記した大入賞口９以外の可変入賞装置にも適用可能であり、また、アレンジボール遊技機や雀球遊技機等、上記したパチンコ遊技機以外の弾球遊技機にも適用可能であることは言う迄もない。
【図面の簡単な説明】
【００３８】
【図１】本発明の実施の形態における遊技盤を示す正面図である。
【図２】本発明の実施の形態に係る弾球遊技機の可変入賞装置を示す正面図である。
【図３】図２のＡ−Ａ矢視図である。
【図４】本発明の実施の形態に係る弾球遊技機の可変入賞装置を示す分解背面図である。
【符号の説明】
【００３９】
１          遊技盤
３          遊技領域
９          大入賞口
１０        可変入賞装置
１４        開口部
１５        開閉扉
３６        ステージ部
６１        傾斜下端部
６２        段差部
【図１】
2006136364.tif 000003
【図２】
2006136364.tif 000004
【図３】
2006136364.tif 000005
【図４】
2006136364.tif 000006